(57)【要約】【課題】地震発生時に空調機と天井板や天井下地とが衝突するのを防止することができる空調機の天井設置構造を提供する。【解決手段】空調室内機１は、上記躯体１２から吊り下げられた吊りボルト１３に固定されている。上記空調室内機１の本体１ａは上記吊り天井１１の下地よりも上に位置している。上記空調室内機１の天井面パネル１ｂは上記天井板１８に形成された開口１１ａに位置している。上記天井面パネル１ｂは、その周囲部を上記天井板１８の下側に位置させており、上記開口１１ａの隙間が隠れるようにしている。上記本体１ａの上記天井面通気口１ｃと上記天井面パネル１ｂとが、変形可能な筒部材としての蛇腹２によって接続されている。【選択図】図１
2014115037.tif 000002
【特許請求の範囲】
【請求項１】
天井の裏側に空調機が位置する空調機の天井設置構造において、上記天井の天井板に形成された開口に上記空調機の天井面パネルが位置しており、上記空調機の本体は上記開口の上方に位置しており、上記本体の天井面通気口は変形可能な筒部材によって上記天井面パネルに接続されていることを特徴とする空調機の天井設置構造。
【請求項２】
請求項１に記載の空調機の天井設置構造において、上記空調機の本体は上記天井の下地よりも上側に位置していることを特徴とする空調機の天井設置構造。
【請求項３】
請求項１または請求項２に記載の空調機の天井設置構造において、上記変形可能な筒部材は、一定以上の引っ張り力を受けた場合に破断する破断容易部を有することを特徴とする空調機の天井設置構造。
【請求項４】
請求項１または請求項２に記載の空調機の天井設置構造において、上記変形可能な筒部材は、一定以上の引っ張り力を受けた場合に上記天井面パネルまたは上記本体から離脱する離脱部を有することを特徴とする空調機の天井設置構造。
【請求項５】
請求項１または請求項２に記載の空調機の天井設置構造において、上記天井面パネルを引上げる引上げ部と、上記引上げ部の引上げ動作を制止しておく制止部と、一定以上の揺れが生じた場合に上記制止部による制止を解除する解除動作部と、を備えたことを特徴とする空調機の天井設置構造。
【請求項６】
請求項１〜請求項５のいずれか１項に記載の空調機の天井設置構造において、上記天井面パネルと上記本体とを繋いで上記天井面パネルの落下を防止する落下防止具を備えたことを特徴とする空調機の天井設置構造。
【請求項７】
天井の裏側に空調機が位置する空調機の天井設置構造において、上記空調機の本体に天井面パネルが取り付けられており、上記天井の天井板に形成された開口の上方に上記天井面パネルが位置していることを特徴とする空調機の天井設置構造。
【請求項８】
天井の裏側に空調機が位置する空調機の天井設置構造において、上記天井の天井板に形成された開口に、周囲側が昇り勾配となる面部が位置しており、上記空調機はその前面周囲側が上記面部に接するように設けられていることを特徴とする空調機の天井設置構造。
【発明の詳細な説明】
【技術分野】
【０００１】
この発明は、天井の裏側に空調機が位置する空調機の天井設置構造に関する。
【背景技術】
【０００２】
図９は吊り天井１０１の裏側（懐）に空調機１１０を設置する従来の設置構造を示した説明図である。上記吊り天井１０１においては、建物の躯体１０２から吊り下げられた吊りボルト１０３の下端部にハンガー１０４が固定されており、このハンガー１０４に野縁受け１０５が支持される。そして、上記野縁受け１０５にはクリップ１０６によって野縁１０７が固定されており、この野縁１０７に天井板１０８が支持されている。
【０００３】
上記空調機１１０は、上記躯体１０２から吊り下げられた吊りボルト１０３に固定されている。そして、上記空調機１１０は、空気吹き出し口や空気吸込み口が形成されている前面部を、上記天井板１０８に形成された開口１０１ａに位置させている。また、上記前面部には上記天井板１０８の下側に位置する天井面パネル１１０ａが取り付けられる。
【０００４】
なお、特許文献１には、工程数が少なくて、吹出口の取付け作業を効率良く行えるようにした空調用吹出口の取付け構造が開示されている。また、特許文献２には、ビル等の建築物内に空調や排煙等を目的に配設されたダクトが地震等の振動を受けた場合に損傷するのを極力防止できるようにダクト中に介装されるたわみ継手が開示されている。
【先行技術文献】
【特許文献】
【０００５】
【特許文献１】実用新案登録第２５１９０６１号公報
【特許文献２】特許第４８２０３８０号公報
【発明の概要】
【発明が解決しようとする課題】
【０００６】
しかしながら、上記従来の空調機の天井設置構造では、図１０に示しているように、地震発生時に上記天井１０１と上記空調機１１０との間に揺れの位相ずれが生じるなどして、上記天井板１０８と上記空調機１１０とが激しく衝突し合い、上記天井１０１および上記空調機１１０の破壊や落下が起きる場合があった。
【０００７】
なお、上記特許文献１の技術はダクトの取付け性の向上を目的とし、また、特許文献２の技術は地震時の揺れでダクトが損傷するのを防止することを目的としており、地震発生時に上記天井板１０８と上記空調機１１０とが激しく衝突し合うのを防止するものではない。
【０００８】
この発明は、上記の事情に鑑み、地震発生時に空調機と天井板とが衝突するのを防止することができる空調機の天井設置構造を提供することを課題とする。
【課題を解決するための手段】
【０００９】
この発明の空調機の天井設置構造は、上記の課題を解決するために、天井の裏側に空調機が位置する空調機の天井設置構造において、上記天井の天井板に形成された開口に上記空調機の天井面パネルが位置しており、上記空調機の本体は上記開口の上方に位置しており、上記本体の天井面通気口は変形可能な筒部材によって上記天井面パネルに接続されていることを特徴とする。
【００１０】
上記の構成であれば、地震発生時に上記天井と上記空調機の本体との間に揺れの位相ずれが生じるなどした場合でも、上記空調機の本体は上記開口の上方に位置しているので、上記空調機の本体が上記天井板に衝突するのを回避できる。また、上記本体の天井面通気口は変形可能な筒部材によって上記天井面パネルに接続されているので、適切に空調が行えるとともに、地震時には上記天井面パネルは上記天井板と一体的に揺れることが可能である。よって、地震発生時に上記空調機と天井板とが衝突するのを防止することができる。
【００１１】
上記空調機の本体は上記天井の下地よりも上側に位置してもよい。これによれば、上記天井板だけでなく、上記天井の下地と上記空調機の本体との衝突も防止することができる。
【００１２】
上記変形可能な筒部材は、一定以上の引っ張り力を受けた場合に破断する破断容易部を有してもよい。これによれば、地震の揺れで上記天井面パネルが上記変形可能な筒部材に強く引っ張られた場合に上記変形可能な筒部材が破断できるので、上記天井面パネルが上記天井板から引き剥がされて当該天井板が破壊されるという事態を防止することができる。
【００１３】
上記変形可能な筒部材は、一定以上の引っ張り力を受けた場合に上記天井面パネルまたは上記本体から離脱する離脱部を有してもよい。これによれば、地震の揺れで上記天井面パネルが上記変形可能な筒部材に強く引っ張られた場合に上記変形可能な筒部材が上記天井面パネルまたは上記本体から離脱できるので、上記天井面パネルが上記天井板から引き剥がされて当該天井板が破壊されるという事態を防止することができる。さらに、上記変形可能な筒部材は破断しないので、この変形可能な筒部材を廃棄しないで再使用することが可能になる。
【００１４】
上記天井面パネルを引上げる引上げ部と、上記引上げ部の引上げ動作を制止しておく制止部と、一定以上の揺れが生じた場合に上記制止部による制止を解除する解除動作部と、を備えていてもよい。これによれば、地震で揺れが生じた場合に上記天井面パネルが上記天井板の上方に移動できるので、この移動によって当該天井板と上記天井面パネルとの衝突の機会が減ることになる。また、この構成であれば、上記天井面パネルを上記天井板に固定しなくてよい。
【００１５】
上記天井面パネルと上記本体とを繋いで上記天井面パネルの落下を防止する落下防止具を備えてもよい。これによれば、上記天井面パネルの落下を防止できる。
【００１６】
この発明の空調機の天井設置構造は、天井の裏側に空調機が位置する空調機の天井設置構造において、上記空調機の本体に天井面パネルが取り付けられており、上記天井の天井板に形成された開口の上方に上記天井面パネルが位置していることを特徴とする。このような構成であれば、地震発生時に上記天井と上記空調機との間に揺れの位相ずれが生じるなどした場合でも、上記天井の天井板に形成された開口の上方に上記空調機の本体及び天井面パネルが位置しているので、地震発生時に上記空調機が上記天井板に衝突するのを防止することができる。
【００１７】
この発明の空調機の天井設置構造は、天井の裏側に空調機が位置する空調機の天井設置構造において、上記天井の天井板に形成された開口に、周囲側が昇り勾配となる面部が位置しており、上記空調機はその前面周囲側が上記面部に接するように設けられていることを特徴とする。このような構成であれば、地震発生時に上記天井と上記空調機との間に揺れの位相ずれが生じるなどした場合でも、上記空調機はその前面周囲側が上記面部に接するので、上記天井板が上記前面周囲側を押す力で上記空調機は上方に逃げる。よって、地震発生時に上記空調機と天井板とが衝突するのを防止することができる。
【発明の効果】
【００１８】
本発明であれば、地震発生時に空調機と天井板とが衝突するのを防止することができるという効果を奏する。
【図面の簡単な説明】
【００１９】
【図１】この発明の実施形態の空調機の天井設置構造を示した説明図である。
【図２】図１の設置構造における地震発生時の状態を示した説明図である。
【図３】この発明の他の実施形態の空調機の天井設置構造を示した説明図である。
【図４】この発明の他の実施形態の空調機の天井設置構造を示した説明図である。
【図５】この発明の他の実施形態の空調機の天井設置構造を示した説明図である。
【図６】この発明の他の実施形態の空調機の天井設置構造を示した説明図である。
【図７】この発明の他の実施形態の空調機の天井設置構造を示した説明図である。
【図８】図７の設置構造で用いた保持機構を示した図であって、同図（Ａ）は上記保持機構の縦断面図であり、同図（Ｂ）は上記保持機構のＡ−Ａ断面図である。
【図９】従来の空調機の天井設置構造を示した説明図である。
【図１０】図９の設置構造における地震発生時の状態を示した説明図である。
【発明を実施するための形態】
【００２０】
以下、この発明の実施の形態を添付図面に基づいて説明する。
図１に示す実施形態では、吊り天井１１の裏側（懐）に空調機として天井カセット型の空調室内機１が設置されている。上記吊り天井１１においては、建物の躯体１２から吊り下げられた吊りボルト１３の下端部にハンガー１４が固定されており、このハンガー１４に野縁受け１５が支持される。そして、上記野縁受け１５にはクリップ１６によって野縁１７が取り付けられており、この野縁１７に天井板１８が支持されている。
【００２１】
上記空調室内機１は、上記躯体１２から吊り下げられた吊りボルト１３に固定されている。上記空調室内機１の本体１ａは上記吊り天井１１の下地（野縁１７、野縁受け１５、或いはハンガー１４）よりも上に位置している。上記空調室内機１の本体１ａの前面（下面）には天井面通気口１ｃが形成されている。上記天井面通気口１ｃは、空気吹き出し口および空気吸込み口からなる。また、上記空調室内機１の本体１ａ内には送風機１ｄなどが設けられている。
【００２２】
上記空調室内機１の天井面パネル１ｂは上記天井板１８に形成された開口１１ａに位置している。上記天井面パネル１ｂは、その周囲部を上記天井板１８の下側に位置させており、上記開口１１ａの隙間が隠れるようにしている。この実施形態では、上記天井面パネル１ｂの周囲部を上記天井板１８にビス留めしている。なお、上記天井面パネル１ｂを下地部と化粧部とで構成し、上記下地部を上記のようにビス留めし、上記化粧部で上記ビスを隠すようにしてもよい。
【００２３】
上記天井面通気口１ｃは、変形可能な筒部材としての蛇腹２によって上記天井面パネル１ｂに接続されている。なお、上記蛇腹２は、上記天井１１が構築されて上記空調室内機１の本体１ａが吊り下げられている状態で、例えば、上記本体１ａから垂れ下がっている。そして、上記蛇腹２は、施工者によって上記開口１１ａから天井下に引き出されて、その下端が上記天井面パネル１ｂに接続される。その後、上記天井面パネル１ｂを持ち上げることによって上記蛇腹２を天井裏に押し込んで、上記天井面パネル１ｂを上記天井板１８にビス留めする。
【００２４】
また、この設置構造では、上記天井面パネル１ｂと上記本体１ａとを繋いで上記天井面パネル１ｂの落下を防止する落下防止具５が設けられている。例えば、この落下防止具５は、上記本体１ａの側面から突出するフック部５１と、上記天井面パネル１ｂの裏面に螺着されたリングボルト５３と、上記突出部５１と上記リングボルト５３とを繋ぐワイヤ５２とからなる。上記落下防止具５における上記ワイヤ５２と上記リングボルト５３との連結は、上記蛇腹２を上記天井面パネル１ｂに接続する際に行うことができる。
【００２５】
上記空調機の天井設置構造であれば、図２に示しているように、地震発生時に上記天井１１と上記空調室内機１の本体１ａとの間に揺れの位相ずれが生じるなどした場合でも、上記空調室内機１の本体１ａは上記開口１１ａの上方に位置しているので、上記空調室内機１の本体１ａが上記天井板１８に衝突するのを回避できる。また、上記天井面通気口１ｃは上記蛇腹２によって上記天井面パネル１ｂに接続されているので、適切に空調が行えるとともに、地震時には上記天井面パネル１ｂが上記天井板１８と一体的に揺れることが可能である。よって、地震発生時に上記空調室内機１と天井板１８とが衝突するのを防止することができる。なお、上記天井面パネル１ｂを上記天井板１８に固定しない場合において上記天井面パネル１ｂと上記天井板１８とが衝突したとしても、上記天井面パネル１ｂは本体に比べて軽いので上記天井板１８が破壊されたとしても軽微である。
【００２６】
また、上記の例では、上記空調室内機１の本体１ａは上記天井１１の下地よりも上側に位置しているので、上記天井板１８だけでなく、上記天井１１の下地と上記本体１ａとの衝突も防止することができる。
【００２７】
また、上記の例では、上記天井面パネル１ｂと上記本体１ａとを繋いで上記天井面パネル１ｂの落下を防止する上記落下防止具５を備えたので、上記天井面パネル１ｂの落下を防止できる。上記落下防止具５は複数設けてもよい。
【００２８】
なお、上記の例では、上記本体１ａにおける上記天井面通気口１ｃの空気吹き出し口および空気吸込み口が１つの蛇腹２によって上記天井面パネル１ｂに接続されていたが、複数の蛇腹を用いて上記本体１ａの上記空気吹き出し口および空気吸込み口が上記天井面パネル１ｂの対応箇所の空気吹き出し口および空気吸込み口に個別に接続されるのが望ましい。また、この個別に接続する構成において、上記天井面パネル１ｂの空気吹き出し口に電動フラップ機構を設けておき、この電動フラップ機構を制御する制御線が上記本体１ａ側から上記天井面パネル１ｂに接続されるようにしてもよい。以下の実施形態においても同様である。
【００２９】
図３は、他の実施形態の空調機の天井設置構造を示した説明図である。この設置構造においては、上記蛇腹２は、一定以上の引っ張り力を受けた場合に破断する破断容易部２ａを有している。この破断容易部２ａは他の生地部分よりも薄くされた部分或いは破れ易い素材部分などからなる。
【００３０】
このような破断容易部２ａを有する構成であれば、地震の揺れで上記天井面パネル１ｂが上記蛇腹２に強く引っ張られた場合に上記蛇腹２は容易に破断できるので、上記天井面パネル１ｂが上記天井板１８から引き剥がされて当該天井板１８が破壊されるという事態を防止することができる。
【００３１】
図４は、他の実施形態の空調機の天井設置構造を示した説明図である。この設置構造においては、上記蛇腹２は、一定以上の引っ張り力を受けた場合に上記天井面パネル１ｂから離脱する離脱部３を有している。上記離脱部３は上記蛇腹２の開口形状に対応した枠形状を有した１対の枠部材からなっている。例えば、上記蛇腹２の側に取り付けられた枠部材は鉄などの磁性体からなり、上記天井面パネル１ｂの側に取り付けられた枠部材は全体が磁石または部分が磁石とされている。
【００３２】
このような離脱部３を有する構成であれば、地震の揺れで上記蛇腹２に上記天井面パネル１ｂが強く引っ張られた場合に上記蛇腹２が上記天井面パネル１ｂから離脱できるので、上記天井面パネル１ｂが上記天井板１８から引き剥がされて当該天井板１８が破壊されるという事態を防止することができる。さらに、上記蛇腹２は破断しないので、この上記蛇腹２を廃棄しないで再使用することが可能になる。
【００３３】
上記離脱部３は、上記磁力により接合するものに限らず、面ファスナー、ホック、両面テープ、粘着剤などにより接合するものであってもよい。また、気密性を高めるために離脱部３にシール部材が配置されるようにしてもよい。また、上記離脱部３は、上記本体１ａから離脱するように構成されていてもよい。
【００３４】
図５は、他の実施形態の空調機の天井設置構造を示した説明図である。この設置構造においては、上記天井面パネル１ｂを引上げる引上げ部４１と、上記引上げ部４１の引上げ動作を制止しておく制止部４２と、一定以上の揺れが生じた場合に上記制止部４２による制止を解除する解除動作部４３と、を備えている。これらの機構は上記空調室内機１の本体１ａに設けられる。
【００３５】
上記引上げ部４１は、例えば電源コードを巻き取る巻取りドラムを利用した機構でワイヤ４１ａを巻き取るように構成される。上記ワイヤ４１ａの先端は上記天井面パネル１ｂに連結される。上記制止部４２は、例えば、上記巻取りドラムで用いられるラチェット機構およびこのラチェット機構による係止状態を解除するスイッチからなる。上記解除動作部４３は、一定以上の揺れで落下するように設けられた重りボール４３ａとこの重りボール４３ａと上記制止部４２の上記スイッチを繋ぐ紐４３ｂとからなる。一定以上の揺れで上記重りボール４３ａ落下すると、上記制止部４２の上記スイッチが動作し、上記巻取りドラムによってワイヤ４１ａが巻き取られ、上記天井面パネル１ｂが引上げられる。
【００３６】
これによれば、地震で揺れが生じた場合に上記天井面パネル１ｂが上記天井板１８の上方に移動できるので、この移動によって当該天井板１８と上記天井面パネル１ｂとの衝突の機会が減ることになる。また、この構成の場合には、上記天井面パネル１ｂを上記天井板１８に固定しなくてよい。なお、上記引上げに際して上記天井面パネル１ｂの周囲部が上記天井板１８に引っ掛からないように、上記周囲部を柔軟な部材で曲がるように形成したり、ヒンジによって折れるように構成することなどが考えられる。また、周囲部を上記天井板１８の下に位置させない構成も採用できる。また、上記引上げ部４１と上記制止部４２と上記解除動作部４３とからなる機構を複数設けてもよい。また、地震センサとして加速度センサなどを用いるとともに、一定以上の揺れを示す上記地震センサの出力に応じて、電磁ソレノイドなどの電気的動作で上記スイッチを作動させるようにしてもよい。
【００３７】
なお、以上の構成において、変形可能な筒部材として上記蛇腹２を示したが、このような蛇腹に限らず、筒状の布部材、筒状のゴム、ホース状の部材、或いは筒径が異なる複数の筒からなる伸縮可能な筒部材などを用いることができる。
【００３８】
図６は、他の実施形態の空調機の天井設置構造を示した説明図である。この設置構造においては、上記空調室内機１の本体１ａに天井面パネル１ｂが取り付けられており、上記天井１１の天井板１８に形成された開口１１ａの上方に上記天井面パネル１ｂが位置している。この例では、上記天井面パネル１ｂは、上記野縁１７よりも上方に位置しているが、上記天井板１８よりも上または上記野縁受け１５よりも上に位置させてもよい。また、この例では、上記開口１１ａの周囲に化粧枠６を配置しており、上記天井面パネル１ｂを上記野縁１７よりも上方に位置させながら上記天井面パネル１ｂと上記開口１１ａとの間に隙間が出来にくいようにしている。
【００３９】
このような構成であれば、地震発生時に上記天井１１と上記空調室内機１との間に揺れの位相ずれが生じるなどした場合でも、上記天井１１の天井板１８に形成された開口１１ａの上方に上記空調室内機１の本体１ａおよび天井面パネル１ｂが位置しているので、地震発生時に上記空調室内機１と天井板１８とが衝突するのを防止することができる。
【００４０】
図７は、他の実施形態の空調機の天井設置構造を示した説明図である。この設置構造においては、上記天井１１の天井板１８に形成された開口１１ａに、化粧枠を兼ねるテーパー部材７が設けられている。このテーパー部材７の内側には周囲側が昇り勾配となるすり鉢状（円形状に限らない）のテーパー部（面部）７ａが形成されている。上記テーパー部材７は上記天井１１を構成する吊りボルト１３に固定されている。なお、テーパー部（面部）７ａは平面に限らず曲面状に周囲側が昇り勾配となるものでもよい。
【００４１】
上記空調室内機１はその前面周囲側としての上記天井面パネル１ｂの周囲部が上記テーパー部７ａに接するように設けられている。そして、この例では、上記天井面パネル１ｂは上記テーパー部材７の下面よりも下に出て室内からの天井見栄えを良くしている。
【００４２】
上記空調室内機１を支持する吊りボルト１３には保持機構８を介して吊りボルト１３Ａが設けられており、この吊りボルト１３Ａに上記空調室内機１が固定されている。図８（Ａ）および図８（Ｂ）は上記吊りボルト１３Ａの上端部及び保持機構８を示した図である。上記吊りボルト１３Ａの上端部には周状凹箇所と周状凸箇所が一定間隔で交互に形成されている。上記保持機構８は、略円筒形状のチャック枠部８１と、全体で略円筒形を成す３つの分割噛み込み部材８２と、これら３つの分割噛み込み部材８２を図の矢印方向に付勢するばね８３とから成る。各分割噛み込み部材８２の先端内側には、上記吊りボルト１３Ａの周状凹箇所及び周状凸箇所に対応する凸箇所及び凹箇所が形成されている。上記チャック枠部８１の先端内側にはテーパー部が形成されており、３つの分割噛み込み部材８２の先端外側にも上記テーパー部に当接するテーパー部が形成されている。そして、３つの分割噛み込み部材８１が吊りボルト１３Ａを噛み込んだ状態で分割噛み込み部材８２の外面とチャック枠部８１の内面との間で隙間が確保される構造になっている。３つの分割噛み込み部材８２が上記ばね８３の付勢に抗して動くと、上記テーパー部の作用にて分割噛み込み部材８２は上記隙間を利用して互いに離間する一方、３つの分割噛み込み部材８２が上記ばね８３の付勢方向に動くときには、このばね８３とテーパー部の作用にて分割噛み込み部材８２が互いに接近して締まり、吊りボルト１３Ａをしっかりと固定することになる。
【００４３】
上記構成であれば、地震発生時に上記天井１１と上記空調室内機１との間に揺れの位相ずれが生じるなどした場合でも、上記空調室内機１はその前面周囲側が上記テーパー部７ａに接するので、上記天井板１８が上記前面周囲側を押す力で上記空調室内機１は上方に逃げる。よって、地震発生時に上記空調室内機１と天井板１８とが衝突するのを防止することができる。
【００４４】
また、上記空調室内機１は上方に逃げるとき、上記保持機構８によって上記逃げが吸収されると同時にこの逃げ状態が保持され、上記空調室内機１は上がった位置で留まることになる。なお、ラチェット機構などによって上記保持機構８を構成することもできる。また、例えば専用の治具で上記チャック枠部８１を広げて上記空調室内機１を元の位置に戻すこともできる。また、上記テーパー部材７を、上記天井１１を構成する吊りボルト１３に固定することに限らない。
【００４５】
また、上記空調室内機１を例えばその本体１ａの高さの距離以上降下可能に設けておくとともに、この降下を制止する制止部と、一定以上の揺れが生じた場合に上記制止部による降下制止を解除する解除部を設けた構造であれば、地震発生時に上記空調室内機１の本体１ａが降下して天井板より下に位置することになり、上記空調室内機１の本体と天井板との衝突を回避することが可能となる。
【００４６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４７】
１      空調室内機（空調機）
１ａ    本体
１ｂ    天井面パネル
２      蛇腹（変形可能な筒部材）
２ａ    破断容易部
３      離脱部
４１    引上げ部
４２    制止部
４３    解除動作部
５      落下防止具
６      化粧枠
７      テーパー部材
７ａ    テーパー部（面部）
８      保持機構
１１    天井
１１ａ  開口
１２    躯体
１３    吊りボルト
１７    野縁
１８    天井板
【図１】
2014115037.tif 000003
【図２】
2014115037.tif 000004
【図３】
2014115037.tif 000005
【図４】
2014115037.tif 000006
【図５】
2014115037.tif 000007
【図６】
2014115037.tif 000008
【図７】
2014115037.tif 000009
【図８】
2014115037.tif 000010
【図９】
2014115037.tif 000011
【図１０】
2014115037.tif 000012